(57)【要約】【課題】アダプターを別に準備する必要がなく、大幅にコストダウンを図ることがきる混注部材及び医療用具を提供すること。【解決手段】ハウジング（２）のポート（３）に、栓体（５）を装着した混注部材（１）において、ハウジング（２）に、連結部（６）を介して、前記栓体（５）に挿入可能なアダプター（３１）の装着部（７）を形成した混注部材（１）。前記装着部（７）は連結部（６）を介して、ハウジング（２）の底部ないし側部に形成した。【選択図】図１
2006000523.tif 000002
【特許請求の範囲】
【請求項１】
ハウジング（２）のポート（３）に、栓体（５）を装着した混注部材（１）において、
ハウジング（２）に、連結部（６）を介して、前記栓体（５）に挿入可能なアダプター（３１）の装着部（７）を形成した、ことを特徴とする混注部材（１）。
【請求項２】
前記装着部（７）は連結部（６）を介して、ハウジング（２）の底部ないし側部に形成した、ことを特徴とする請求項１に記載の混注部材（１）。
【請求項３】
前記アダプター（３１）は、本体（３２）の前方に細径部（３３）が形成され、後方に接続部（３４）が形成され、当該接続部（３４）にはキャップ（３５）が着脱可能であることを特徴とする請求項１ないし請求項２に記載の混注部材（１）。
【請求項４】
前記装着部（７）に前記アダプター（３１）の（前方）細径部（３３）を装着し、（後方）接続部（３４）に、キャップ（３５）を装着した、ことを特徴とする請求項１ないし請求項３に記載の混注部材（１）。
【請求項５】
請求項１ないし請求項４に記載の混注部材（１）を含むことを特徴とする医療用具。
【発明の詳細な説明】
【技術分野】
【０００１】
本発明は、薬液等を注入する混注部材の改良に関する。本発明の混注部材は、血液回路、薬液容器、輸血・輸液セット等の医療用具に使用される。
【背景技術】
【０００２】
出願人は、特許文献１に、穿刺部材の基部下方に注入部（注入口ともいう）を突設し、当該注入部の上部に押圧部を形成し、当該押圧部の外周に凸部を形成し、前記基部の外周にリブを形成し、当該リブの上端部に鍔部を形成した穿刺部材（アダプターともいう）の発明と、筒体（ポートともいう）にスリットを形成した栓体を装着し、当該筒体の外周に冠着するキャップの上部内壁面に穿刺部材の凸部を嵌合できる凹部を形成した混注部材の発明を提案した。
【０００３】
これらの発明では、混注部材と穿刺部材が別の部品となっているので、使用時に穿刺部材をわざわざ準備する必要があった。
混注部材と穿刺部材が同じメーカの部品であれば、双方の装着はスムーズにできるが、メーカの異なる部品同士では、違和感がありスムーズに装着できない場合があった。
また混注部材の栓体の天面は、通常露出しており、包装袋からとりだした後、すぐに使用すれば問題ないが、使用するまでに時間がかかる場合は、栓体の天面が雑菌等に接触する懸念がある。
【０００４】
【特許文献１】特開２０００−２４５８５２号公報（図１から図１０参照）
【発明の開示】
【発明が解決しようとする課題】
【０００５】
本発明が解決しようとする問題点は、穿刺部材が別の部品となっているので、使用時に穿刺部材をわざわざ準備する必要性がある点である。
【課題を解決するための手段】
【０００６】
そこで本発明者は以上の課題を解決するために、鋭意検討を重ねた結果次の発明に到達した。
［１］本発明は、ハウジング（２）のポート（３）に、栓体（５）を装着した混注部材（１）において、
ハウジング（２）に、連結部（６）を介して、前記栓体（５）に挿入可能なアダプター（３１）の装着部（７）を形成した混注部材（１）を提供する。
［２］本発明は、前記装着部（７）は連結部（６）を介して、ハウジング（２）の底部ないし側部に形成した［１］に記載の混注部材（１）を提供する。
［３］本発明は、前記アダプター（３１）は、本体（３２）の前方に細径部（３３）が形成され、後方に接続部（３４）が形成され、当該接続部（３４）にはキャップ（３５）が着脱可能である［１］ないし［２］に記載の混注部材（１）を提供する。
［４］本発明は、前記装着部（７）に前記アダプター（３１）の（前方）細径部（３３）を装着し、（後方）接続部（３４）に、キャップ（３５）を装着した［１］ないし［３］に記載の混注部材（１）を提供する。
［５］本発明は、［１］ないし［４］に記載の混注部材（１）を含む医療用具を提供する。
【発明の効果】
【０００７】
本発明の混注部材１は、ハウジング２の装着部７にアダプター３１が装着されているので、アダプター３１を別に準備する必要がない。またアダプター３１を別に準備する場合と比較して、大幅にコストダウンを図ることがきる。
【発明を実施するための最良の形態】
【０００８】
図１は本発明の混注部材１の概略図（分解図、一部切欠断面図）、図２は図１の組立図、図３は（Ａ）から（Ｄ）は本発明の混注部材１の使用方法の一例を示す概略図である。
本発明の混注部材１は、ハウジング２のポート３に、栓体５を装着し、ハウジング２に、連結部６を介して、前記栓体５に挿入可能なアダプター３１の装着部７を形成した混注部材１である。
図１の例示では、装着部７は筒状に形成され、アダプター３１が装着（嵌合、挿入、係止等も含む）できれば、形状は何でも良く、極端な例では、フックでも良い。また連結部６を介して、ハウジング２の底部に形成されているが、ハウジング２の側部（図１では、正面ないし背面）に形成しても良い。
アダプター３１は、本体３２の前方に細径部３３が形成され、後方に接続部３４が形成され、当該接続部３４にはキャップ３５が着脱可能である。
装着部７に前記アダプター３１の（前方）細径部３３を装着し、（後方）接続部３４に、キャップ３５を装着している。
【０００９】
またポート３に装填される栓体５は、アダプター３１の細径部３３（注入口３３）を挿入可能なスリットＳ付きの栓体５であれば何でも良い。スリットＳの形態も細径部３３（注入口３３）を挿入可能な形態（例えば縦断面の途中から形成されているものあるいは縦断面の上端から下端に亘って形成されたもの等）であれば何でも良い。
また栓体５はポート３の内部に配置しても良いし、ポート３の下部に配置（厳密にいえば、ポート３下部とハウジング２の上段部との間）しても良い。
【００１０】
アダプター３１の細径部３３（注入口３３）の形態は図２、３に例示しているように、若干先細りのテーパーを有するルアー部が好ましいが、前記スリットＳに挿入できれば、ストレートでも良い。
またアダプター３１の接続部３４には、製品出荷時にはキャップ３５が装着される。
【００１１】
また本発明に使用するシリンジ２１は筒状の本体２２と円筒状のロック部２３とから構成され、ロック部２３の内面には、アダプター３１の後方に形成された接続部３４接続できる接続部２４が形成されている。接続部２４、３４は、例えば、螺旋状の突起または溝部、縦方向の突起または溝部等であっても良い。
【００１２】
［使用方法］
混注部材１（アダプター３１含む）は、シリンジ２１とともに使用することができる。図３を参照にして、混注部材１とシリンジ２１の使用方法の一例について説明する。
（１）図３（Ａ）に例示するように、アダプター３１を装着部７からはずす。
（２）図３（Ｂ）に例示するように、アダプター３１からキャップ３５をはずし、シリンジ２１のロック部２３を、アダプター３１の接続部３４に接続する。
（３）図３（Ｃ）から（Ｄ）に例示するように、アダプター３１の細径部３３（注入口）を栓体５に挿入する。
【図面の簡単な説明】
【００１３】
【図１】本発明の混注部材１の概略図（分解図、一部切欠断面図）
【図２】図１の組立図
【図３】（Ａ）から（Ｄ）本発明の混注部材１の使用方法の一例を示す概略図
【符号の説明】
【００１４】
１  混注部材
２  ハウジング
３  ポート
５  栓体
６  連結部
７  装着部
９  キャップ
２１  シリンジ
２２  本体
２３  ロック部
２４  接続部
２５  注入口
３１  アダプター
３２  本体
３３  ルアー部（注入口）
３４  接続部
３５  キャップ
【図１】
2006000523.tif 000003
【図２】
2006000523.tif 000004
【図３】
2006000523.tif 000005